(57)【特許請求の範囲】
【請求項１】
前部に相手方端子に対して接続するための電気接続部を有し、その後部に、底板部と、該底板部の両側縁から上方に延在し、且つ接続すべき電線の端末部を包み込むように内側に曲げられることで前記電線の端末部を前記底板部の上面に密着した状態となるように加締める一対の電線加締片と、を備える断面視略Ｕ字状に形成された第１と第２の２つの電線接続部を有し、該２つの電線接続部の前記底板部を共通とし且つ前記第１の電線接続部の電線加締片と第２の電線接続部の電線加締片とを前後に独立した状態で離間させて有し、屈曲不要な部位に使用され被覆に包まれた導体を単芯導体とする単芯電線又は被覆に包まれた導体を多芯導体とする多芯電線に共用する圧着端子の電線に対する接続方法であって、
前記電線が、前記単芯電線よりなる場合は、その被覆を除去して露出させた単芯導体を前記第１と第２の電線接続部の共通の底板部の上にセットし、その状態で、前記第１と第２の電線接続部の各一対の電線加締片を内側に曲げて前記単芯導体に共に加締めることにより、電線の端末部に端子を圧着固定し、
前記電線が、前記多芯電線よりなる場合は、その被覆を除去して露出させた多芯導体を前記第１の電線接続部の底板部の上にセットし、その状態で、第１の電線接続部の一対の電線加締片を内側に曲げて多芯導体に加締めると共に、被覆の付いた部分を前記第２の電線接続部の底板部の上にセットし、その状態で、第２の電線接続部の一対の電線加締片を内側に曲げて被覆の付いた部分に加締めることにより、電線の端末部に端子を圧着固定することを特徴とする圧着端子の電線に対する接続方法。
【請求項２】
前記単芯電線が、被覆に包まれた導体をアルミ単芯導体とする単芯アルミ電線よりなることを特徴とする請求項１に記載の圧着端子の電線に対する接続方法。
【発明の詳細な説明】
【技術分野】
【０００１】
本発明は、圧着端子の電線に対する接続方法に関するものである。
【背景技術】
【０００２】
端子を圧着する電線には通常、多数の芯線を撚りあわせた多芯電線を使用している（例えば、特許文献１参照）。しかし、多芯電線は、導体の断面積が大きくなるに従って使用する芯線の数が多くなるため、コストが高くなるという問題がある。そのため、屈曲性を必要としない部位に使用する電線に関しては、コストの安い単芯電線を多芯電線に代わり使用したいという要望がある。
【０００３】
図２は単芯電線に対して端子を圧着する場合の従来の問題点を説明するための図であり、図２（ａ）は圧着する前の状態を示す断面図、図２（ｂ）は圧着した後の状態を示す断面図、図２（ｃ）は圧着した部分が高温と低温の繰り返し負荷を受けることによりクリープした状態を示す断面図である。
【０００４】
図２（ａ）〜図２（ｃ）において、１０Ａは単芯電線、１１Ａは単芯導体、１２は単芯導体１１Ａを包む被覆である。また、２０は圧着端子、２１は底板部、２２は電線接続部、２２ａは電線加締片である。図２（ａ）に示すように、圧着端子２０は、前部に相手方端子等に対して接続するための電気接続部（図示略）を有し、その後部に、底板部２１と、該底板部２１の両側縁から上方に延在し、且つ接続すべき電線の端末部を包み込むように内側に曲げられることで電線の端末部を底板部２１の上面に密着した状態となるように加締める一対の電線加締片２２ａと、を備える断面視略Ｕ字状に形成された電線接続部２２を有している。
【０００５】
この圧着端子２０を単芯電線１０Ａに接続する場合は、図２（ｂ）に示すように、被覆１２を除去して露出させた単芯導体１１Ａを電線接続部２２の底板部２１の上にセットし、その状態で、電線接続部２２の一対の電線加締片２２ａを内側に曲げて単芯導体１１Ａに加締めることにより、単芯電線１０Ａの端末部に圧着端子２０を圧着固定している。
【先行技術文献】
【特許文献】
【０００６】
【特許文献１】実開平６−３１０７２号公報
【発明の概要】
【発明が解決しようとする課題】
【０００７】
ところで、このように単芯電線１０Ａに対して圧着端子２０の電線加締部２２を加締めた場合、電線の導体１１Ａが単芯であるがゆえに圧着荷重が分散し難くなり、その結果、図２（ｂ）中のＡ部とＢ部に接触圧力が集中し、Ｃ部では接触圧力が低くなってしまうという問題がある。ここで、Ａ部は一対の電線加締片２２ａの両先端が擦れ合いながら食い込んでいる圧着部断面の上側部分であり、接触圧力が非常に高くなっている。また、Ｂ部はＡ部に対向する底板部２１の接触部分であり、Ａ部ほどではないが接触圧力が高くなっている。また、Ｃ部は圧着部断面の両側方部分であり、接触圧力が低くなっている。
【０００８】
このような接触圧力は、高温と低温を繰り返す環境下で単芯導体１１Ａや圧着端子２０がクリープした際に変化を生じ、接触圧力が高かったＡ部やＢ部で接触圧力が低下し、これによって圧着部での電線と端子の接触抵抗が増加するという問題がある。
【０００９】
本発明は、上述した事情に鑑みてなされたものであり、その目的は、圧着部での接触面積を増やすことにより端子と電線の接触抵抗を減らすことができ、それにより電気接続の信頼性を高めることのできる圧着端子の電線に対する接続方法を提供することにある。
【課題を解決するための手段】
【００１２】
本発明の上記目的は、下記の構成により達成される。
（１）  前部に相手方端子に対して接続するための電気接続部を有し、その後部に、底板部と、該底板部の両側縁から上方に延在し、且つ接続すべき電線の端末部を包み込むように内側に曲げられることで前記電線の端末部を前記底板部の上面に密着した状態となるように加締める一対の電線加締片と、を備える断面視略Ｕ字状に形成された第１と第２の２つの電線接続部を有し、該２つの電線接続部の前記底板部を共通とし且つ前記第１の電線接続部の電線加締片と第２の電線接続部の電線加締片とを前後に独立した状態で離間させて有し、屈曲不要な部位に使用され被覆に包まれた導体を単芯導体とする単芯電線又は被覆に包まれた導体を多芯導体とする多芯電線に共用する圧着端子の電線に対する接続方法であって、
前記電線が、前記単芯電線よりなる場合は、その被覆を除去して露出させた単芯導体を前記第１と第２の電線接続部の共通の底板部の上にセットし、その状態で、前記第１と第２の電線接続部の各一対の電線加締片を内側に曲げて前記単芯導体に共に加締めることにより、電線の端末部に端子を圧着固定し、
前記電線が、前記多芯電線よりなる場合は、その被覆を除去して露出させた多芯導体を前記第１の電線接続部の底板部の上にセットし、その状態で、第１の電線接続部の一対の電線加締片を内側に曲げて多芯導体に加締めると共に、被覆の付いた部分を前記第２の電線接続部の底板部の上にセットし、その状態で、第２の電線接続部の一対の電線加締片を内側に曲げて被覆の付いた部分に加締めることにより、電線の端末部に端子を圧着固定することを特徴とする圧着端子の電線に対する接続方法。
【００１３】
（２）  前記単芯電線が、被覆に包まれた導体をアルミ単芯導体とする単芯アルミ電線よりなることを特徴とする上記（１）に記載の圧着端子の電線に対する接続方法。
【００１６】
上記（１）の構成の圧着端子の電線に対する接続方法によれば、接続対象の電線が単芯電線の場合は、第１と第２の両方の電線接続部の電線加締片を電線の単芯導体に共に加締め、接続対象の電線が多芯電線の場合は、前側の第１の電線接続部の電線加締片を電線の多芯導体に加締め、後側の第２の電線接続部の電線加締片を電線の被覆の付いている部分に加締めるので、１種類の端子の使い分けにより、電線の種類に応じて、それぞれに最適な接続状態を作り出すことができる。
【００１７】
上記（２）の構成の圧着端子の電線に対する接続方法によれば、単芯電線として単芯アルミ電線を用いるので、銅電線に比べて軽量化を図りながら上記の効果を発揮することができる。また、電線のアルミ導体に対して端子が銅製である場合は、電食防止の観点などから電線の導体表面や端子の表面に鉄やニッケル等の中間電位のメッキを介在させることが一般的であるが、メッキが経年劣化などで剥がれても、電線の導体と端子の接触面積の増大により電気接続信頼性の維持を図ることができる。
【発明の効果】
【００１８】
本発明によれば、電線の単芯導体に圧着した部分における導体と端子の接触面積を増やすことができ、それにより端子と電線の接触抵抗を減らすことができて、電気接続の信頼性を高めることができる。
【図面の簡単な説明】
【００１９】
【図１】本発明の実施形態の説明図で、図１（ａ）は圧着端子を単芯電線に接続した部分の構成を示す斜視図、図１（ｂ）は圧着端子を多芯電線に接続した部分の構成を示す斜視図である。
【図２】単芯電線に対して端子を圧着する場合の従来の問題点を説明するための図であり、図２（ａ）は圧着する前の状態を示す断面図、図２（ｂ）は圧着した後の状態を示す断面図、図２（ｃ）は圧着した部分が高温と低温の繰り返し負荷を受けることによりクリープした状態を示す断面図である。
【発明を実施するための形態】
【００２０】
以下、本発明の実施形態を図面を参照して説明する。
図１は実施形態の説明図で、図１（ａ）は圧着端子を単芯電線に接続した部分の構成を示す斜視図、図１（ｂ）は圧着端子を多芯電線に接続した部分の構成を示す斜視図である。
【００２１】
この実施形態で使用する圧着端子２０は、前部に相手方端子に対して接続するための電気接続部（図示略）を有し、その後部に、底板部２１と、該底板部２１の両側縁から上方に延在し、且つ接続すべき電線の端末部を包み込むように内側に曲げられることで電線の端末部を底板部２１の上面に密着した状態となるように加締める一対の電線加締片２２ａ、２３ａと、を備える断面視略Ｕ字状に形成された第１と第２の２つの電線接続部２２、２３を有しており、これらの電線接続部２２、２３の断面形状は図２（ａ）に示すものと同様に設定されている。この場合、２つの電線接続部２２、２３は、底板部２１を共通とし、且つ、第１の電線接続部２２の電線加締片２２ａと第２の電線接続部２３の電線加締片２３ａとを前後に独立した状態で離間させて設けられている。
【００２２】
そして、１種類の圧着端子２０を電線の種類（単芯か多芯か）によらず共用することとし、図１（ａ）のように、電線が、被覆１２に包まれた導体を単芯導体１１Ａとする単芯電線１０Ａよりなる場合は、その被覆１２を除去して長目に露出させた単芯導体１１Ａを、前側の第１の電線接続部２２の底板部２１の上から後側の第２の電線接続部２３の底板部２１の上までの範囲にセットし、その状態で、第１と第２の電線接続部２２、２３の各一対の電線加締片２２ａ、２３ａを内側に曲げて単芯導体１１Ａに共に加締めることにより、電線１０Ａの端末部に端子２０を圧着固定する。
【００２３】
また、図１（ｂ）のように、電線が、被覆１２に包まれた導体を多芯導体１１Ｂとする多芯電線１０Ｂよりなる場合は、その被覆１２を除去して露出させた多芯導体１１Ｂを前側の第１の電線接続部２２の底板部２１の上にセットし、その状態で、第１の電線接続部２２の一対の電線加締片２２ａを内側に曲げて多芯導体１１Ｂに加締めると共に、被覆１２の付いた部分を第２の電線接続部２３の底板部２１の上にセットし、その状態で、第２の電線接続部２３の一対の電線加締片２３ａを内側に曲げて被覆１２の付いた部分に加締めることにより、多芯電線１０Ｂの端末部に端子２０を圧着固定する。
【００２４】
ここでは、特に単芯電線１０Ａとしては、アルミ単芯導体（例えば、１５ｓｑのアルミ単線）を有する単芯アルミ電線を使用している。この単芯アルミ電線は、あまり屈曲性を有していないので、屈曲の不必要な部位に使用するようにする。
【００２５】
この実施形態によれば、図１（ａ）のように、接続対象の電線が単芯電線１０Ａの場合は、第１と第２の両方の電線接続部２２、２３の電線加締片２２ａ、２３ａを電線１０Ａの単芯導体１１Ａに共に加締め、図１（ｂ）のように、接続対象の電線が多芯電線１０Ｂの場合は、前側の第１の電線接続部２２の電線加締片２２ａを電線１０Ｂの多芯導体１１Ｂに加締め、後側の第２の電線接続部２３の電線加締片２３ａを電線１０Ｂの被覆１２の付いている部分に加締めるので、１種類の圧着端子２０の使い分けにより、電線の種類に応じて、それぞれに最適な接続状態を作り出すことができる。
【００２６】
特に、接続対象の電線が単芯電線１０Ａの場合は、第１の電線接続部２２の電線加締片２２ａに加えて第２の電線接続部２３の電線加締片２３ａも、電線１０Ａの単芯導体１１Ａに加締めるので、電線１０Ａの単芯導体１１Ａと圧着端子２０の接触面積の増大を図ることができ、多芯電線１０Ｂに比べて可撓性の少ない単芯電線１０Ａである場合にも、電線１０Ａと圧着端子２０の電気接続の信頼性を高めることができる。また、第１の電気接続部２２の電線加締片２２ａとその後側の第２の電線接続部２３の電線加締片２３ａとが互いに独立して分離しているので、各電線加締片２２ａ、２３ａを単芯導体１１Ａに加締めた際に、圧着端子２０にかかる応力を明確に分散化することができ、第１および第２のそれぞれの電気接続部２２、２３において強固な圧着強度を維持することができて、その点からも電線１０Ａと端子２０の電気接続の信頼性を高めることができる。また、電線の種類によらず圧着端子２０の種類を１種類に統一したので、端子２０の成形型を電線の種類に応じて用意する必要がない。
【００２７】
また、圧着端子２０の接続対象の電線として単芯アルミ電線１０Ａを用いた場合は、銅電線に比べて軽量化を図りながら上記の効果を発揮することができる。また、電線のアルミ導体に対して端子が銅製である場合は、電食防止の観点などから電線の導体表面や端子の表面に鉄系やニッケル系などのアルミと銅の中間電位の材料のメッキを介在させることが一般的であるが、メッキが経年劣化などで剥がれても、電線の導体と端子の接触面積の増大により電気接続信頼性の維持を図ることができる。
【００２８】
また、第１の電線接続部２２の電線加締片２２ａと第２の電線接続部２３の電線加締片２３ａとを互いに分離させているので、多芯電線１０Ｂに接続する際に、第２の電線接続部２３の電線加締片２３ａによって、防水栓を被覆１２と一緒に加締めることも可能である。
【００２９】
なお、本明細書では、アルミニウムとアルミニウム合金を略称して単に「アルミ」と記述し、銅と銅合金を略称して単に「銅」と記述している。
【００３０】
また、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３１】
１０Ａ  単芯電線
１０Ｂ  多芯電線
１１Ａ  単芯導体
１１Ｂ  多芯導体
１２  被覆
２０  圧着端子
２１  底板部
２２  第１の電線接続部
２２ａ  電線加締片
２３  第２の電線接続部
２３ａ  電線加締片
【図１】
0005795510.tif 000002
【図２】
0005795510.tif 000003